(57)【要約】【課題】従来公知の釣り用クッションゴムでは、ゴム紐の伸縮作用のため、魚のアタリをとりにくくなり、また魚の針掛かりが浅くなり、釣り心地が低下するという課題があった。【解決手段】一定の張力以下ではクッションゴムまたは弾性体を介さず直接道糸とハリス間に張力を伝え、一定の張力以上ではリミッターが作用してクッションゴムまたは弾性体を介して道糸とハリス間に張力を伝えるようにした。【選択図】図１
2007209313.tif 000002
【特許請求の範囲】
【請求項１】
道糸とハリスの間に挿入して衝撃を吸収する釣り用クッションゴムまたは弾性体において、張力に応じて作用するリミッターを取り付けたことを特徴とする釣り用クッションゴムまたは弾性体。
【請求項２】
道糸とハリスの間に挿入して衝撃を吸収する釣り用クッションゴムまたは弾性体において、一定の張力以下ではクッションゴムまたは弾性体を介さず直接道糸とハリス間に張力を伝え、一定の張力以上ではリミッターが作用してクッションゴムまたは弾性体を介して道糸とハリス間に張力を伝えることを特徴とする釣り用クッションゴムまたは弾性体。
【請求項３】
道糸とハリスの間に挿入して衝撃を吸収する釣り用クッションゴムまたは弾性体において、ハリスおよび道糸の強度より強度の小さな細糸とゴム紐または弾性体を並列に設けて道糸とハリスの間に挿入し、一定以上の張力が掛かると細糸が破断して張力がゴム紐または弾性体に掛かるようになることを特徴とする釣り用クッションゴムまたは弾性体。
【請求項４】
道糸とハリスの間に挿入して衝撃を吸収する釣り用クッションゴムまたは弾性体において、道糸およびハリスを連結する連結金具にゴム紐または弾性体を固定すると共に、ゴム紐または弾性体に並列に糸を設け、さらに糸または連結金具にロック機構を設けて両者を接続し、一定以上の張力が掛かるとロックがはずれて糸が解放され、ゴム紐または弾性体に張力が掛かるようになることを特徴とする釣り用クッションゴムまたは弾性体。
【請求項５】
道糸とハリスの間に挿入して衝撃を吸収する釣り用クッションゴムまたは弾性体において、道糸およびハリスを連結する連結金具にゴム紐または弾性体を固定すると共に、ゴム紐または弾性体に並列に糸を設け、さらに連結金具に糸を固定するためのピンを取り付けて、一定以上の張力が掛かるとピンがはずれて糸が解放され、ゴム紐または弾性体に張力が掛かるようになることを特徴とする釣り用クッションゴムまたは弾性体。
【請求項６】
請求項１から５のいずれかに記載の釣り用クッションゴムまたは弾性体において、ゴム紐または弾性体の内部に糸を導入するための導入ガイド口を設けた事を特徴とする釣り用クッションゴムまたは弾性体。
【請求項７】
請求項１から５のいずれかに記載の釣り用クッションゴムまたは弾性体において、ゴム紐または弾性体の外部に並列に設けた細糸または糸とゴム紐または弾性体が、バラバラにならないよう束ねるための拘束具を設けたことを特徴とする釣り用クッションゴムまたは弾性体。
【発明の詳細な説明】
【技術分野】
【０００１】  本発明は、道糸とハリスの間に挿入し、魚の強力な引きを緩和してハリスや道糸が破断することを防ぐ釣り用クッションゴムまたは弾性体に関する。
【背景技術】
【０００２】  従来、道糸とハリスの間に挿入し、魚の強力な引きを緩和する器具として、図６のようなクッションゴムが広く知られている。【０００３】図６の釣り用クッションゴムは、エラストマーからなるゴム紐６０１の両端に端子金具６０２を取り付けた構造で、端子金具の一方にハリス６Ａを、もう一方に道糸６Ｂを接続して使用するものである。【０００４】このような構造を持つことで、ゴム紐６０１の伸縮作用により、急激な魚の引きを緩和し、ハリス６Ａおよび道糸６Ｂの破断を防止することを可能にしている。【０００５】しかしながら、この釣り用クッションゴムには、ゴム紐６０１の伸縮効果により魚が針にかかる瞬間のわずかなアタリをとりにくくなる、魚の針掛かりが浅くなる、魚の引きがダイレクトに伝わらず魚の釣り心地が低下する、大きな魚がかかった場合にゴム紐６０１が伸びきってしまい再生が難しくなる等の問題があった。【０００６】ゴム紐６０１が伸びきってしまう問題を解決する一手段として、特許文献１にはゴム紐の内部に十分強く、長い中通し糸を通し、この中通し糸の長さ以上ゴム紐が伸びるのを規制してゴム紐が伸びきるのを防止するクッションゴムが考案されている。
【特許文献１】  特開２００４−１２１２０２号公報
【発明が解決しようとする課題】
【０００７】  しかしながら、この従来公知の釣り用クッションゴムでは、ゴム紐の伸縮作用のため、魚のアタリをとりにくくなり、また魚の針掛かりが浅くなり、釣り心地が低下するという問題は解決されていない。
【０００８】また、魚の強い引きに関しては、中通し糸がゴム紐の伸張を規制するため、クッション作用がなくなり、ハリスや道糸の破断を引き起こすという問題を生じる。
【０００９】本発明はこのような問題を解決するためになされたものであり、魚の小さなアタリや引きに関してはこれを直接道糸へ伝達できるとともに、魚の強い引きに対してはクッション作用によりハリスや道糸の破断を防止できるような、既定の張力で作用を切り替えることができる、リミッター付きの釣り用クッションゴムを提供することを目的とする。
【００１０】また、リミッターが動作しても、再び容易にリミッターを設定できるような、再生可能なリミッター付きのクッションゴムを提供することを目的とする。
【課題を解決するための手段】
【００１１】  本発明は、ゴム紐の内部または外部にハリスおよび道糸より破断強度の小さな細糸を設け、ハリスにかかる張力が小さい場合には、細糸がゴム紐の伸張を規制し、ハリスの張力が細糸を通して直接道糸へ伝わり、ハリスに大きな張力がかかった場合には、細糸が破断してゴム紐の伸張が解放され、ゴム紐の伸縮作用によりハリスおよび道糸へかかる大きな衝撃が吸収されるという手段により、上記問題を解決したものである。
【００１２】また、ゴム紐の内部または外部に糸を設け、ゴム紐の両端に取り付けられた端子金具に設けたロック機構に糸を接続し、ハリスにかかる張力が小さい場合には、ロック機構を介して糸がゴム紐の伸張を規制し、ハリスの張力が糸を通して直接道糸へ伝わり、ハリスに大きな張力がかかった場合には、端子金具のロック機構が動作して糸が解放されてゴム紐の伸張が生じ、ハリスに掛かる衝撃が吸収されるようにしたものである。
【００１３】さらに本発明は、ゴム紐の両端付近にゴム紐内部への糸の導入口またはガイド金具を設けることにより、細糸やロック機構などのリミッターが動作した後でも、再び容易にゴム紐内部へ細糸や糸を導入して、リミッター機構を再生出来るようにしたものである。
【００１４】また、ゴム紐とその外部へ設けた細糸または糸を束ねるための拘束具を設けることにより、ゴム紐と細糸または糸がバラバラにならないようにすると共に、細糸やロック機構などのリミッターが動作した後でも再び容易に細糸や糸を取り付けて、リミッター機構を再生出来るようにしたものである。
【発明を実施するための最良の形態】
【００１５】  以下、図面を参照して本発明の実施形態を詳細に説明する。【００１６】図１の実施形態は、ゴムパイプ１０１と端子金具１０２と細糸１０３からなり、ゴムパイプ１０１の両端に端子金具１０２が取り付けられ、端子金具１０２にはそれぞれハリス１Ａと道糸１Ｂが接続され、ゴムパイプ１０１の内部には、ハリス１Ａおよび道糸１Ｂより強度の小さな細糸１０３が通され、ゴムパイプ１０１と同様に端子金具１０２に接続される。【００１７】魚の引きなどによりハリス１Ａに張力がかかると、細糸１０３がゴムパイプ１０１の伸張を規制するため、ハリス１Ａの張力は細糸１０３と端子金具１０２を介して直接道糸１Ｂへ伝達される。【００１８】ハリス１Ａにさらに大きな張力がかかり、ハリス１Ａまたは道糸１Ｂの破断強度に近づいた場合には、細糸１０３の破断強度がハリス１Ａおよび道糸１Ｂの破断強度より小さいため、細糸１０３が破断し、ゴムパイプ１０１の伸張が解放され、ハリス１Ａに加えられた衝撃は、ゴムパイプ１０１の伸縮作用により緩和され、ハリス１Ａおよび道糸１Ｂの破断が回避される。【００１９】以上のような作用により、ハリス１Ａに既定以下の小さな張力がかかった場合には、細糸１０３と端子金具１０２を介して張力が直接道糸１Ｂへ伝達されるため、魚の小さなアタリを敏感にとらえることができるとともに、魚の引きを十分楽しむことができ、またハリス１Ａおよび道糸１Ｂの破断強度に近いような大きな張力がハリス１Ａにかかった場合には、細糸１０３が破断してゴムパイプ１０１の伸張が解放され、ゴムパイプ１０１がハリス１Ａにかかる衝撃を吸収するため、ハリス１Ａおよび道糸１Ｂを破断することなく確実に大きな魚を取り込むことができる。【００２０】また、細糸１０３が破断する際に衝撃エネルギーが吸収されるため、大きな張力に対してはより一層のクッション作用が得られる。【００２１】図２の実施形態では、端子金具２０２の一端に道糸２Ｂが接続されるとともに、もう一端には糸２０３が結ばれたロックピン２０４とゴム紐２０１が取り付けられ、ゴム紐２０１と糸２０３は端子金具２０５を介してハリス２Ａへ接続される構造を持ち、既定以下の張力に対しては、糸２０３とロックピン２０４と端子金具２０２を介してハリス２Ａの張力が道糸２Ｂに直接伝達され、ハリス２Ａおよび道糸２Ｂの破断強度に近いような大きな張力に対しては、ロックピン２０４が外れてゴム紐２０１の伸長が解放されることにより、ハリス２Ａおよび道糸２Ｂへかかる大きな張力が緩和され、ハリス２Ａおよび道糸２Ｂの破断が回避される。【００２２】なお、本発明に関わる釣り用クッションゴムでは、上記実施形態図１および図２の構造や材質に限定されるものではなく、ハリスおよび道糸の破断強度より十分小さな張力に対してはハリスの張力を直接道糸に伝達し、ハリスおよび道糸の破断強度に近いような大きな張力に対してはゴム紐を介在するというように張力に応じて作用を切り替えるリミッター機構を持てばどのような構造や材質でもよい。【００２３】例えば、図１の実施形態で、ゴムパイプ１０１の外部に細糸１０３を設けても良い。【００２４】また、例えば図２の実施形態で、ロックピン２０４が破断する形態や摩擦による糸���０３の固定などのロック機構、糸２０３の間にロック機構があるような構造であっても良い。【００２５】図３の実施形態では、図１の実施形態と同様にゴムパイプ３０１の両端に端子金具３０２が取り付けられ、端子金具３０２にはそれぞれハリス３Ａおよび道糸３Ｂが接続され、ゴムパイプ３０１の内部には細糸３０３が設けられると共に、ゴムパイプ３０１の両端付近には細糸３０３をゴムパイプ３０１の内部へ導入するための導入ガイド３０４が設けられ、細糸３０３は導入ガイド３１０４を介して端子金具３０２へ連結される。【００２６】また、図４の実施形態では、端子金具４０２にそれぞれハリス４Ａおよび道糸４Ｂが接続され、ゴムパイプ４０１の内部には細糸４０３が設けられると共に、ゴムパイプ４０１の両端付近にクランプ４０５を設けて、ゴムパイプ４０１と端子金具４０２を連結し、さらにゴムパイプ４０１の両端付近内部には導入ガイド４０４を設け、細糸４０３は導入ガイド４０４を介して端子金具４０２へ接続される。【００２７】また、図５の実施形態では、ゴム紐５０１の両端に端子金具５０２を取り付け、端子金具５０２にはそれぞれハリス５Ａおよび道糸５Ｂが接続され、ゴム紐５０１と並列に細糸５０３が設けられると共に、両者がバラバラにならないように束ねる拘束具５０４でゴム紐５０１と細糸５０３は拘束され、細糸５０３は端子金具５０２へ接続される。【００２８】なお、本発明に関わる釣り用クッションゴムでは、上記実施形態図３から図５の構造や材質に限定されるものではなく、図１や図２の釣り用クッションゴムで用いられている細糸や糸がゴム紐またはゴムパイプとバラバラにならずに、何度でも設定できるような構造であれば、どのような構造や材質でもよい。
【発明の効果】
【００２９】  本発明に関わる釣り用クッションゴムによれば、小さな魚のアタリを確実にとらえることができるとともに、魚の引きを十分楽しむことができ、ハリスや道糸の破断の可能性があるような大きな魚の引きに対しては、リミッター機構動作時の衝撃エネルギー吸収作用とゴム紐の伸縮作用により衝撃の緩和が達成され、確実に魚を取り込むことができる。
【００３０】また、リミッター機構が動作して細糸または糸が解放されても、再び容易にリミッター機構を設定することが出来、リミッター付きのクッションゴムを何度でも使用することが出来る。
【図面の簡単な説明】
【００３１】
【図１】本発明の実施形態を模式的に表した図
【図２】本発明の他の実施形態を横式的に表した図
【図３】本発明の他の実施形態を模式的に表した図
【図４】本発明の他の実施形態を模式的に表した図
【図５】本発明の他の実施形態を模式的に表した図
【図６】従来の釣り用クッションゴムを模式的に表した図
【符号の説明】
【００３２】１０１、３０１、４０１：ゴムパイプ
２０１、５０１、６０１：ゴム紐
１０２、２０２、２０５、３０２、４０２、５０２、６０２：端子金具
１０３、３０３、４０３、５０３：細糸
２０３：糸
２０４：ロックピン
３０４、４０４：導入ガイド
５０４：拘束具
４０５：クランプ
１Ａ、２Ａ、３Ａ、４Ａ、５Ａ、６Ａ：ハリス
１Ｂ、２Ｂ、３Ｂ、４Ｂ、５Ｂ、６Ｂ：道糸
【図１】
2007209313.tif 000003
【図２】
2007209313.tif 000004
【図３】
2007209313.tif 000005
【図４】
2007209313.tif 000006
【図５】
2007209313.tif 000007
【図６】
2007209313.tif 000008